(57)【要約】【課題】施工が容易で、建物の実体の製造コストをかけることなくスムーズに屋上に降った雨水等を排水可能にできる建物の樋支持構造を提供することを目的としている。【解決手段】樋を下方から受ける長尺の樋受け部と、樋受け部との間に樋挿入空間を形成するように樋受け部の幅方向の一端縁から上方に立ち上がる吊り下げ支持部とを備える樋支持部材が、前記吊り下げ支持部の開放端を、建物の屋上の周縁部に立設された柵に固定させ、樋受け部の他端縁を建物の外壁面に当接させた状態に建物に取り付けられ、樋が樋挿入空間に挿入され、建物の屋上から排出される排水を受けるように樋受け部によって下方から支持されていることを特徴としている。【選択図】      図１
2004162390.tif 000002
【特許請求の範囲】
【請求項１】
樋を下方から受ける長尺の樋受け部と、樋受け部との間に樋挿入空間を形成するように樋受け部の幅方向の一端縁から上方に立ち上がる吊り下げ支持部とを備える樋支持部材が、
前記吊り下げ支持部の開放端を、建物の屋上の周縁部に立設された柵に固定させ、樋受け部の他端縁を建物の外壁面に当接させた状態に建物に取り付けられ、
樋が樋挿入空間に挿入され、建物の屋上から排出される排水を受けるように樋受け部によって下方から支持されていることを特徴とする建物の樋支持構造。
【請求項２】
下方に向かって広がる断面形状をした係合溝を長手方向に連続して、または、間欠的に上面に有する係止部材が、樋受け部と樋との間に介在するとともに、樋が、下端に設けられた係合部を前記係合溝に係合させることによって樋受け部上に支持された樋支持金具によって下方から受けられている請求項１に記載の建物の樋支持構造。
【請求項３】
係止部材が、その下面に長手方向に連続する嵌合凹部または嵌合凸部を有し、これらの嵌合凹部または嵌合凸部が、樋受け部の長手方向に連続してまたは間欠的に設けられた嵌合凸部または嵌合凹部にスライド嵌合して樋受け部に固定されている請求項２に記載の建物の樋支持構造。
【請求項４】
吊り下げ支持部の正面側を覆うカーテンウォールの支持フックが吊り下げ支持部に設けられている請求項１〜請求項３のいずれかに記載の建物の樋支持構造。
【請求項５】
吊り下げ支持部の建物側の面に、樋挿入空間に挿入される樋の吊り下げ支持部側の上縁部が遊嵌されるガイド溝を連続的または間欠的に備えている請求項１〜請求項４のいずれかに記載の建物の樋支持構造。
【発明の詳細な説明】
【０００１】
【発明の属する技術分野】
本発明は、建物の樋支持構造に関する。
【０００２】
【従来の技術】
図６に示すように、大型の建物１００には、屋上１１０に降った雨水等を下水等に排水するために、屋上１１０の上端から実体１２０の外側に張り出す張出部１３０を設け、この張出部１３０に設けられた排水溝１４０を介して行うようになったものがある。
しかし、建物１００に張出部１３０を設ける場合、実体１２０部分だけでなく、張出部１３０にも鉄筋を這わさなければならないとともに、排水溝１４０の内面に防水加工を施さなければならず、施工が面倒であるとともに、建物の施工コストが余分にかかってしまうという問題がある。
【０００３】
【発明が解決しようとする課題】
本発明は、上記事情に鑑みて、施工が容易で、建物の実体の製造コストをかけることなくスムーズに屋上に降った雨水等を排水可能にできる建物の樋支持構造を提供することを目的としている。
【０００４】
【課題を解決するための手段】
上記のような目的を達成するために、本発明の請求項１に記載の建物の樋支持構造（以下、「請求項１の支持構造」と記す）は、樋を下方から受ける長尺の樋受け部と、樋受け部との間に樋挿入空間を形成するように樋受け部の幅方向の一端縁から上方に立ち上がる吊り下げ支持部とを備える樋支持部材が、前記吊り下げ支持部の開放端を、建物の屋上の周縁部に立設された柵に固定させ、樋受け部の他端縁を建物の外壁面に当接させた状態に建物に取り付けられ、樋が樋挿入空間に挿入され、建物の屋上から排出される排水を受けるように樋受け部によって下方から支持されていることを特徴としている。
【０００５】
本発明の請求項２に記載の建物の樋支持構造（以下、「請求項２の支持構造」と記す）は、請求項１の支持構造において、下方に向かって広がる断面形状をした係合溝を長手方向に連続して、または、間欠的に上面に有する係止部材が、樋受け部と樋との間に介在するとともに、樋が、下端に設けられた係合部を前記係合溝に係合させることによって樋受け部上に支持された樋支持金具によって下方から受けられていることを特徴としている。
【０００６】
本発明の請求項３に記載の建物の樋支持構造（以下、「請求項３の支持構造」と記す）は、請求項２の支持構造において、係止部材が、その下面に長手方向に連続する嵌合凹部または嵌合凸部を有し、これらの嵌合凹部または嵌合凸部が、樋受け部の長手方向に連続してまたは間欠的に設けられた嵌合凸部または嵌合凹部にスライド嵌合して樋受け部に固定されていることを特徴としている。
【０００７】
本発明の請求項４に記載の建物の樋支持構造（以下、「請求項４の支持構造」と記す）は、請求項１〜請求項３のいすれかの支持構造において、吊り下げ支持部の正面側を覆うカーテンウォールの支持フックが吊り下げ支持部に設けられていることを特徴としている。
【０００８】
本発明の請求項５に記載の建物の樋支持構造（以下、「請求項５の支持構造」と記す）は、請求項１〜請求項４のいすれかの支持構造において、吊り下げ支持部の建物側の面に、樋挿入空間に挿入される樋の吊り下げ支持部側の上縁部が遊嵌されるガイド溝を連続的または間欠的に備えていることを特徴としている。
【０００９】
【発明の実施の形態】
以下に、本発明を、その実施の形態をあらわす図面を参照しつつ詳しく説明する。
図１〜図３は、本発明にかかる建物の樋支持構造の第１の実施の形態をあらわしている。
【００１０】
この樋支持構造は、図１〜図３に示すようになっていて、つぎのようにして樋２を支持するようになっている。
（１）図１に示すように、樋支持部材１を建物Ｂの屋上Ｒの周縁部に設けられた柵（手摺り柵）Ｆに支持させる。
【００１１】
すなわち、樋支持部材１は、樋２を下方から受ける長尺の樋受け部１１と、樋受け部１１との間に樋挿入空間Ｓを形成するように樋受け部１１の幅方向の一端縁から上方に立ち上がる吊り下げ支持部１２とを備え、吊り下げ支持部１２の開放端が柵Ｆに溶接等によって固定され、樋受け部１１の他端縁が建物Ｂの壁面に当接状態に取り付けられるようになっている。
吊り下げ支持部１２は、樋受け部１１から垂直に上方に立ち上がる正面部１３と、正面部１３の上端縁から折れ曲がって斜め上方に延出する天井部１４とを備えている。
【００１２】
そして、樋受け部１１および吊り下げ支持部１２は、図２に示すように、フレーム１ａを組み立てたのち、壁材１ｂを（図では１枚しかあらわしていない）をこのフレーム１ａに取り付けることによって形成されるようになっている。
また、樋受け部１１の上面には、断面逆台形をしたて後述する係止部材３の嵌合凸部１９が各フレーム１ａ上に間欠的に突設されている。
【００１３】
正面部１３の樋挿入空間Ｓ側には、樋挿入空間Ｓに挿入される樋２の吊り下げ支持部１２側の上縁部が遊嵌されるガイド溝１６を形成する逆Ｌ字形の鉤１７が間欠的に設けられている。
正面部１３の外壁面には、図１に示すようにカーテンウォール（図示せず）を支持する支持フック１８が樋支持部材１の長手方向に連続するように突設されている。
【００１４】
（２）係止部材３を樋受け部１１の上面に取り付ける。
すなわち、係止部材３は、長尺の板材の上面に断面台形をした係合溝３１が長手方向に連続して穿設され、下面に長手方向に連続して設けられ、嵌合凸部１９と略同じ断面形状をした嵌合凹部３２に嵌合凸部１９をスライド嵌合させる。そして、係合溝３１の底に長手方向に所定ピッチで穿設された貫通孔３３のいずれかに図３に示すように係止ピン４を差し込んで、係止部材３のスライドを防止した状態に取り付けるようになっている。
【００１５】
（３）係止部材３に樋支持金具５を係止させる。
すなわち、樋支持金具５は、その内面が樋２の外面に沿う形状をしていて、建物Ｂ側の上端に支持される樋２の上方への浮き上がりを防止する係止片５１が設けられている。また、樋支持金具５の樋２の底を受ける部分の下面には、図３に示すように、係合部となるアーチ状をした弾性係止片５２がかしめによって取り付けられている。
そして、樋支持金具５は、この弾性係止片５２が、係止部材３の係合溝３１に弾性変形させれながら圧入され、係止部材３に係止されるようになっている。
【００１６】
（４）樋２を樋支持金具５に支持させる。
すなわち、樋２をその建物Ｂ側の上縁２１が樋支持金具５の係止片５１に上方から係止され、正面部１３側の上縁２２が逆Ｌ字形の鉤１７によって形成されたガイド溝１６に嵌合されるように、樋支持部材１の一方の開口から途方に向けてスライドさせながら樋挿入空間Ｓ内に挿入するようになっている。
【００１７】
（５）断面略Ｌ字形をした水切り板６を、Ｌ字の１辺を屋上Ｒの上端縁部に載置し、Ｌ字の他辺と建物Ｂの壁面との間に樋２の建物Ｂ側の側壁２３が挟まれるように固定する。
（６）必要に応じて、カーテンウォール（図示せず）を支持フック１８に係止させる。
【００１８】
この樋支持構造は、以上のようになっており、以下のような優れた効果を有している。
（ａ）樋支持部材１を建物Ｂの柵Ｆに固定するだけで、従来のように、建物実体の一部に排水溝用の張出部を設けたりする必要がなく、また、屋上Ｒからの排水を樋２に受けさせるようにして、排水溝部分の防水工事を不要にしたので、建物の製造コストを低減できる。
【００１９】
（ｂ）樋支持金具５が、樋支持金具５の弾性係止片５２を、係止部材３の係合溝３１に弾性変形させれながら圧入するだけで、容易に取り付けられる。
（ｃ）樋２が、樋支持部材１の一方の開口から途方に向けてスライドさせながら樋挿入空間Ｓ内に挿入するだけで樋支持部材１の樋受け部１１によって下方から受けられるように取り付けられるので、樋２の施工が容易である。樋２の交換等メンテナンス時の作業も容易になる。
【００２０】
（ｄ）樋支持部材１の正面部１３に、ガイド溝１６が設けられているので、樋２をスムーズに所定位置に装着できる。すなわち、樋２の着脱が容易で、樋交換などのメンテナンス作業が容易になる。
（ｅ）樋支持部材１が支持フック１８を備えているので、容易にカーテンウォールを取り付けることができる。すなわち、建物外壁を容易に見栄えのよいものにすることができる。
【００２１】
図４は、本発明にかかる建物の樋支持構造の第２の実施の形態をあらわしている。
図４に示すように、この樋支持構造は、屋上Ｒに降った雨水等の排水が屋上の周縁から立ち上がる躯体Ｂ２の一部を貫通するように設けられたドレン管Ｐの出口が樋２内を臨むようにした以外は、上記の実施の形態と同様になっている。
【００２２】
図５は、本発明にかかる建物の樋支持構造の第３の実施の形態をあらわしている。
図５に示すように、この樋支持構造は、樋支持金具８が、樋２の底を受ける部分８１の上面にその長手方向に連続する切欠溝８２が設けられ、この切欠溝８２の中央部にボルト挿通孔８３が穿設されている。また、一辺が係合溝３１の開口部３５の幅Ｗより短く、他辺が開口部３５の幅Ｗよりも長い板状をした係止片８４ａを先端に備えたボルト８４が下方からボルト挿通孔８３にその先端が切欠溝８２内を臨むように挿通されるとともに蝶ナット８５が螺合されている以外は、上記第１の実施の形態と同様になっている。
【００２３】
この樋支持構造によれば、図５に実線で示すように、係止片８４ａの長手側が係合溝３１の長手方向に平行になるように向けて、係止片８４ａを係合溝３１内に挿入したのち、図５に２点鎖線で示すように、係止片８４ａをその長手側が係合溝３１の長手方向に直交するように回転させ、蝶ナット８５を締め込んで係止片８４ａを係合溝３１のテーパ状になった側壁面に圧接させることによって樋支持金具８を係止部材３を介して樋支持部材１に固定することができる。したがって、樋支持金具８を係止部材３の所定位置にしっかりと固定でき、樋２をよりしっかりと支持できる。
【００２４】
本発明は、上記の実施の形態に限定されない。たとえば、上記の実施の形態では、吊り下げ支持部１２が正面部１３とこの正面部から折れ曲がるように形成された天井部１４とから構成されていたが、徐々に樋受け部１１から立ち上がりながら徐々に柵Ｆ方向に湾曲させるような形状としても構わない。
【００２５】
【発明の効果】
本発明にかかる建物の樋支持構造は、以上のように構成されているので、施工が容易で、建物の実体の製造コストをかけることなくスムーズに屋上に降った雨水等を排水可能にできる。
【００２６】
特に、請求項２の支持構造のようにすれば、樋支持金具を樋支持部材の所定の位置に容易に取り付けることができる。
請求項３の支持構造のようにすれば、係止部材の取り付け取り外し施工が容易なる。
【００２７】
請求項４の支持構造のようにすれば、建物外壁を容易に見栄えのよいものにすることができる。
請求項５の支持構造のようにすれば、樋２をスムーズに所定位置に装着できる。すなわち、樋２の着脱が容易で、樋交換などのメンテナンス作業が容易になる。
【図面の簡単な説明】
【図１】本発明にかかる建物の樋支持構造の第１の実施の形態をあらわす断面図である。
【図２】図１の樋支持構造に用いる樋支持部材を説明する斜視図である。
【図３】樋支持金具の取り付け構造を説明する要部拡大断面図である。
【図４】本発明にかかる建物の樋支持構造の第２の実施の形態をあらわす断面図である。
【図５】本発明にかかる建物の樋支持構造の第３の実施の形態をあらわす要部拡大断面図である。
【図６】従来の建物の排水構造の１例を説明する断面図である。
【符号の説明】
Ｂ  建物
Ｆ  柵
Ｒ  屋上
Ｓ  樋挿入空間
１  樋支持部材
１１  樋受け部
１２  吊り下げ支持部
１３  正面部
１４  天井部
１６  ガイド溝
１８  支持フック
１９  嵌合凸部
２  樋
３  係止部材
３１  係合溝
３２  嵌合凹部
５  樋支持金具
５２  弾性係止片（係合部）
【図１】
2004162390.tif 000003
【図２】
2004162390.tif 000004
【図３】
2004162390.tif 000005
【図４】
2004162390.tif 000006
【図５】
2004162390.tif 000007
【図６】
2004162390.tif 000008